Podtech/llm-jp-corpus-v4-ja_patent huggingface dataset:
(57)【要約】      （修正有）【課題】従来のフィルム形カメラを無駄にすることなく、デジタル化に必要な電子部品を新規に追加したデジタルカメラを提供する。【解決手段】パトローネから出たフィルム状配線の上に撮像素子４を搭載し、カメラの外部に液晶画面７、記憶装置８、電源部９を設置し、従来のフィルムカメラのフィルム巻戻しクランクを外し、その穴を使って、撮像素子等カメラ内部に配置した電子部品との電気的接続をおこなう。【選択図】図３
0003142021.tif 000002
【実用新案登録請求の範囲】
【請求項１】
今までに生産された銀塩フィルムカメラのすべて
【考案の詳細な説明】
【技術分野】カメラ・デジタルカメラ
【背景技術】
【考案の開示】
【考案が解決しようとしている課題】
従来のカメラがデジタル時代に使えないという事
【課題を解決するための手段】
１、パトローネやカメラの中の隙間を使い電子部品を入れる
巻き戻しレバーを外し（どのカメラも比較的簡単に外れる）その穴を使って  外の液晶画面や記憶装置と連絡を取る
２、撮像素子がフィルム状の厚さに作れたら問題無いが現状では保護ガラスも含め  ３ｍｍ程度有るようだ
この厚さを解決するため、カメラの蓋に付いているフィルム押さえ板を取る（これも簡単、引っ掛けて有るだけ）
これによって３ｍｍの撮像素子の入る空間が出来る
３、撮像素子の大きさはフィルムの大きさ（２４ｍｍ×３６ｍｍ）が必要である  ピクセルはサイズが大きいので５００万ピクセルもあれば、充分である
４、撮像素子のピント面をフィルムのピント面と同一にするためにカメラの種類によって  微調整する
５、撮像素子の保護ガラスを２４ｍｍ×３６ｍｍにすればピッタリ填る
６、フィルム状配線であるので  パトローネの中に出し入れする事によって  ほとんどの機種に微調整できる
【図面の簡単な説明】
【図１】本案の後方から見たイラスト
【図２】本案に液晶画面を取り付けたイメージ
【符号の説明】
１、巻き上げレバーの穴から出た配線とターミナル
２、電子部品を入れたパトローネ部分
３、撮像素子
４、フィルム状配線
５、取り去ったフィルム押さえ板
６、この部分を伸縮させる
0003142021.tif 000003
0003142021.tif 000004
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
パトローネ（フィルムケース）から出たフイルム状（フレキシブル）配線の上に撮像素子を載せ、フイルムの替わりにした、いわばデジタルフイルム。
0003142021.tif 000005
0003142021.tif 000006
0003142021.tif 000007
0003142021.tif 000008
【手続補正書】
【提出日】平成20年2月27日(2008.2.27)
【手続補正１】
【補正対象書類名】実用新案登録請求の範囲
【補正対象項目名】全文
【補正方法】変更
【補正の内容】
【実用新案登録請求の範囲】
【請求項１】
フイルムカメラをデジタル化するためのデジタルフイルムであって、パトローネから出たフイルム状配線の上に撮像素子を載せたことを特徴とするデジタルフイルム。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】カメラ・デジタルカメラ
【背景技術】
【考案の開示】
【考案が解決しようとしている課題】
従来のカメラがデジタル時代に使えないという事。
【課題を解決するための手段】
１、  パトローネやカメラの中の隙間を使い電子部品を入れる。巻き戻しクランクを外し（どのカメラも比較的簡単にはずれる）その穴を使って外の液晶画面、記憶装置、電源と連絡を取る。
２、  撮像素子がフイルム状の厚さに作れたら問題ないが、現状では保護ガラスも含め３ｍｍ程度有るようだ。この厚さを解決するために、カメラの蓋に付いているフイルム圧板を取る。（これも簡単、ひっかけて有るだけ）これによって３ｍｍの撮像素子の入る空間が出来る。
３、  撮像素子の大きさ（２４ｍｍ×３６ｍｍ）が必要で有るがピクセルは５００万ピクセルもあれば充分である。
４、  撮像素子のピント面をフイルムのピント面と同一にするためにカメラの種類によって、裏から微調整する。
５、  撮像素子の保護ガラスを２４ｍｍ×３６ｍｍにすればピッタリ填る
６、  フイルム状配線で有るので、パトローネの中に出し入れする事によってほとんどの機種に対応できる。
７、  フイルム巻き戻しクランクの無い比較的新しいカメラの場合、フイルム感度確認窓（透明のプラスチック）に小さな穴を開け、外の液晶画面、記憶装置、電源部、との連絡を取る。
８、  露出計付の物については、６個の接点の組み合わせになっているのでパトローネに６個の接点を設けておく。
【図面の簡単な説明】
【図１】本案の後方から見た斜視図
【図２】本案の前方から見た斜視図
【図３】本案に液晶画面、記憶装置などを取り付けたイメージ。
【符号の説明】
１、  古典機の場合の配線
２、  ６個の接点
３、  フイルム状配線
４、  撮像素子（裏側）
５、  新型機の場合の配線穴
６、  撮像素子保護ガラス（この部分を撮影面の額縁状のところに填める）
７、  液晶画面
８、  記憶装置
９、  電源部
１０、新型機の場合、フイルム感度確認窓に小さな穴を開けた様子
１１、このフィルム圧板を取る事によって４、を取り付けるスペースを確保する
【手続補正３】
【補正対象書類名】手続補正書
【補正対象項目名】手続補正５
【補正方法】変更
【補正の内容】
【手続補正３】
【補正対象書類名】図面
【補正対象項目名】全図
【補正方法】変更
【補正の内容】
【図１】
0003142021.tif 000009
【図２】
0003142021.tif 000010
【図３】
0003142021.tif 000011
【手続補正４】
【補正対象書類名】手続補正書
【補正対象項目名】手続補正３
【補正方法】削除
【補正の内容】
【手続補正５】
【補正対象書類名】手続補正書
【補正対象項目名】手続補正４
【補正方法】削除
【補正の内容】
(57)【要約】      （修正有）【課題】カフスホールのないボタンどめシャツの装身用止め具を提供する。【解決手段】雄雌二成分よりなる装身用止め具としてのカフスボタンにおいて、雌カフスボタン部の底面をシャツ袖のボタンの真裏部に接合する。一方雄カフスボタン部をボタンホールより挿入して雌カフスボタン部に嵌合させることにより袖口を安定化することを特徴とするカフスボタン。同様の方式を使用して襟部開口の安定化を計ることが出来る装身用止め具。【選択図】図１
0003142030.tif 000002
【実用新案登録請求の範囲】
【請求項１】
雄雌２成分よりなるホック式装身用止め具において、雌成分の底部をシャツ袖のボタン真裏の肌面部に接合固定する。
一方雄成分の飾りボタンに連接した下部突起部分を、空いているボタンホールの外側から挿入して雌成分のホツクに嵌合することにより、袖口の開口角度を固定化、安定化することを特徴とする着脱自在のホック式装身用止め具。
【請求項２】
雄雌２成分よりなるホック式装身用止め具において、雌成分の底部をシャツ襟のボタン真裏肌面部に接合固定する。
一方雄成分の飾りボタンに連接した下部突起部分を、空いているボタンホールの外側から挿入して雌成分のホツクに嵌合することにより、襟の開口角度を固定化、安定化することを特徴とする着脱自在のホック式装身用止め具。
【考案の詳細な説明】
【技術分野】
【０００１】  本考案はカフスホールの無いボタンどめシャツの装身用止め具としてのカフスボタンに関する考案である。
【背景技術】
【０００２】  カフスボタンとしてホック式のものが従来よりあり、意匠登録第７６０３２０号「カフスボタン」に詳細が示されている。カフス仕立てシャツに使うホック式カフスボタンは、装着操作が少し複雑な為にレバー式カフスボタンに押されて最近市場に殆ど見なくなった。
【本考案が解決しようとする課題】
【０００３】  カフスボタンはカフス仕立てのシャツ専用の袖口の装身用止め具であるために、カフスホールの無いシャツには使用出来ない欠点がある。  最近の傾向として、クールビズの敷衍もあり、カフス仕立てのシャツの市場は著しく縮小している、シャツ全体の市場で、カフス仕立てで無いドレスシャツやカジュアルシャツやニットシャツの比率が上がっている。
カフス仕立てでないボタンどめシャツのうち、カジュアルシャツの装飾の為のカフスボタンの必要性が増大している。
【課題を解決しようとしている手段】
【０００４】  本考案は、図１に示した如く、飾りボタンとホック部分が一体化した雄型カフス部１と、主にホック部分よりなる雌型カフス部２よりなる。
応用法は、雌型カフス部の底面をシャツの袖のボタン３の真裏の肌面部分に接着剤か縫い糸等で接合固定する。次いで雄型カフス部１の下部のホック部分を、空いているボタンホール外側から挿入して、雌型カフス部２に嵌合させる。これにより雄雌カフスボタン部を一体化固定し袖口４の開口度を安定化することができる。
なお図面にはホック式の一例を示したもので他にも種々のホック式の嵌合材料がありそれらは本考案の範疇に入るものである。
上述の方法は襟口の襟の開口度の安定化にも同様の方法を使って応用される。
【図面の簡単な説明】
【０００５】
【図１】本考案に係わる袖口の止め具の使用状態の一部断面図である。
【符号の説明】
【０００６】  １  雄型カフスボタン部
２  雌型カフスボタン部
３  ボタン
４  袖
【図１】
0003142030.tif 000003
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
雄雌二成分よりなるホック式装身用止め具において、雌成分の底部をシャツ袖のボタン真裏の肌面部に接合固定し、一方雄成分の飾りボタンに連接した下部突起部分を、空いているボタンホールの外側から挿入して雌成分のホックに嵌合することにより、袖口の開口角度を固定化、安定化することを特徴とする着脱自在のホック式装身用止め具。
【請求項２】
雄雌二成分よりなるホック式装身用止め具において、雌成分の底部をシャツ襟のボタン真裏の肌面部に接合固定し、一方雄成分の飾りボタンに連接した下部突起部分を、空いているボタンホールの外側から挿入して雌成分のホックに嵌合することにより、襟口の開口角度を固定化、安定化することを特徴とする着脱自在のホック式装身用止め具。
(57)【要約】      （修正有）【課題】家屋等の解体工事現場で工事後飛散した廃材を、パワーフォークを使って処理できるバケットを提供する。【解決手段】解体作業に使用していたパワーフォークのフォークに網目のある２つ割のバケット２を取付け、フォークの力を利用して屑の廃棄片のうち大きい屑片をフォークによって掬い上げて、廃棄物処理場に運び、残った小さな廃棄物はそのままとして整地して終了させるため、従来のように人手を要することなく迅速に処理できる。【選択図】図２
0003142023.tif 000002
【実用新案登録請求の範囲】
【請求項１】
油圧ショベルのアーム先端にアタッチメントとして取付けるフォークＡの上フォークＡ１と下フォークＡ２にそれぞれ網目（５）のあるザル状の篩い分けバケットＢ１，Ｂ２を着脱自在に設けたことを特徴としたフォークを利用した廃材篩い分け掃除具。
【請求項２】
ザル状の篩い分け用バケットＢの網目は適宜大きさのバケットＢに交換可能としたことを特徴としたフォークを利用した廃材篩い分け掃除具。
【考案の詳細な説明】
【技術分野】
【０００１】
本考案は解体工事現場で解体した後の後処理として用いる、飛散した廃材の大小を篩い分ける廃材掃除具に関する。
【背景技術】
【０００２】
家屋の解体に当って、解体中又は解体終了後大きな廃材などは、解体機のフォークで把持してダンプカーに積み順次廃材処分場に運び出しているが、このフォークに掛からない大きさの廃材や石片などは現場に残されて一面に飛散していて、この処理に困窮しているのが現状である。
【特許文献１】実登３１０９４４２号公報
【考案の開示】
【考案が解決しようとする課題】
【０００３】
建物を解体した後で、フォークが取残して飛散している廃材屑や石塊などは、その後人手によって集め、この中で比較的大きなものは廃棄物処分場に運び、細かい木片や石塊等はそのまま残して整地することにしている。
【課題を解決するための手段】
【０００４】
しかし、この現場に飛散している廃材屑を人手に使って処理することは時間と労力を要し、きわめて困難であり、考案者はこの作業を解決するために鋭意研究を重ねた結果本考案に到達したものである。
【０００５】
本考案は、解体作業に用いられているパワーフォークに網目のある掬い上げ用のバケットを取付け、フォークによる把持作用を利用して、飛散している廃材片を掬い上げ、バケットの網の目によって残った比較的大きなものはダンプカー上に積み上げて処分場に運び、バケットの網目から落ちた細かい廃材屑はそのまま残して整地して作業は終了する。
【考案の効果】
【０００６】
本考案は、解体に用いるフォークに網目のあるバケットを取付けることによって、解体の後処理を簡単に行うことができ、別の機械を使うことなく、多くの人手や労力時間を要することもなく解体の後処理を完了することで、解体作業を迅速に行えるため、解体業界から期待される効果は特に大きく顕著である。
【考案を実施するための最良の形態】
【０００７】
添付図面により本考案を実施するための最良の形態を説明すると、図１は本考案の篩い分けバケットＢの全体図を示す側面図であって、２つ割となっている。バケットＢ１を下フォークＡ１に取付け、一方のバケットＢ２を上フォークＡ２に取付けることによって、廃棄物選別用のフォークが完成され、そしてパワーフォークを駆動させることによってゴミ集めができ選別もできる。      
【０００８】
図２はバケットＢ１の側面図であって、四角状の網目（２）が設けてある。この網目は実施例では８ｃｍ2であり、処理作業中バケットＢを開閉することによって比較的大きい廃棄物は掬いあげられてダンプによって処分場に運ばれる。したがってバケットＢによって篩い落された小さな廃棄物（ゴミ）は、そのままとして整理される。
【０００９】
図３は解体現場で使用していたパワーフォークのフォークに本考案の選別用のバケットＢを装着した実施例図であって、フォークＡの下フォークＡ１にバケットＢ１を装着し、上フォークＡ２にバケットのＢ２を装着する。このフォークＡに対してのバケットＢの装着は、図示における係合孔（５）にピン（６）を挿入するのみで、ピン（６）の楔形状が係合孔（５）に嵌合してワンタッチで装着できる。図示にあっては作図上パワーフォークの取付け部のみの記載があるが実際には、パワーショベルのアームを含めた大きな機体がある。
【００１０】
図４はフォークＡにバケットＢを取付けるための係合ピン（６）で全体として楔型状で、図の（イ），（ロ）に示すように係止片（７）が設けてあり、ワンタッチでバケットＢの取付けが可能となっている。
【産業上の利用可能性】
【００１１】
上述のように本考案は、解体作業に使用しているパワーフォークに、ワンタッチで廃材掬い上げ用のバケットＢを装着するのみで、大きな廃材屑はバケットＢにより掬い上げられて回収用のダンプカーによって処分場に運ばれるため、解体作業場の後処理が簡単に行うことができる。このため解体処理業界においては画期的であって、このバケットＢの利用価値はきわめて大きい。
【図面の簡単な説明】
【００１２】
【図１】アタッチメントとしてのバケットＢの全体を示す側面図
【図２】バケットＢの正面図
【図３】フォークにバケットを取付けた実施例図
【図４】バケットＢを取付ける楔
【符号の説明】
【００１３】
１  バケットの側板
２  バケットの網目
４  バケット接合部
５  フォーク取付け用の楔穴
６  取付け用楔
７  楔係合片
Ａ  フォーク
Ａ１  下フォーク
Ａ２  上フォーク
Ｂ  バケット全体
Ｂ１  下フォーク用の半裁バケット
Ｂ２  上フォーク用の半裁バケット
Ａ２，Ａ３，Ａ４  下フォーク爪の取付け位置      
【図１】
0003142023.tif 000003
【図２】
0003142023.tif 000004
【図３】
0003142023.tif 000005
【図４】
0003142023.tif 000006
【手続補正書】
【提出日】平成20年2月27日(2008.2.27)
【手続補正１】
【補正対象書類名】実用新案登録請求の範囲
【補正対象項目名】請求項２
【補正方法】変更
【補正の内容】
【請求項２】
ザル状の篩い分け用バケットＢの網目は適宜大きさの網目のバケットＢに交換可能としたことを特徴とした請求項１に記載のフォークを利用した廃材篩い分け掃除具。
(57)【要約】      （修正有）【課題】大気中の二酸化炭素を削減する装置を提供する。【解決手段】風車が風を受けることにより風車軸と一体化している歯車３が回転し、それと接続している歯車４も回転する。さらに歯車４と接合しているピストン駆動軸９も歯車４と共動する。この運動により大気を石灰水１０に送りこみ、ＣＯ２＋Ｃａ（ＯＨ）２→ＣａＣＯ３＋Ｈ２Ｏで表される反応で大気中の二酸化炭素を削減する。【選択図】図１
0003142028.tif 000002
【実用新案登録請求の範囲】
風の力を利用した二酸化炭素削減装置
【考案の詳細な説明】
【技術分野】
【０００１】  本考案は風の力を利用して大気中の二酸化炭素を削減するものであり  地球温暖化を防ぎ環境保全に寄与する装置である
【背景技術】
【０００２】  現在  化石燃料の大量消費により大気中の二酸化炭素濃度が高くなっている
【考案の開示】
【考案が解決しようとする課題】
【０００３】  二酸化炭素濃度が高いことにより地球温暖化が危ぐされている  本考案は大気中の二酸化炭素を削減し地球温暖化を解決することを課題とする。
【課題を解決するための手段】
【０００４】  この課題を解決するため請求項の考案は  風の力を利用して風車を回転させ  その動力を利用し  本装置の中に大気を取り入れ本装置内の石灰水の中を通すことにより大気中の二酸化炭素を削減する。
【考案の効果】
【０００５】  本考案により、大気中の二酸化炭素が削減され地球温暖化を防ぐことが出来  環境保全に寄与する。
【考案を実施するための最良の形態】
【０００６】    本考案に係る二酸化炭素削減装置は、図１に示すように、風車が風を受けることにより風車軸と一体化している歯車１が回転し  それと接続している歯車２も回転する  そのときに歯車１より歯車２の歯数が多いので歯車２の動力は増大する。さらに歯車２と接合しているピストン駆動軸も歯車２と共動する。それによりピストン駆動軸と連結しているピストンは、より強い力で作動する。
ピストンがＡ方向に移動する時にノンリターンバルブ１は閉の状態、及びノンリターンバルブ２が開の状態となる。シリンダー内は圧縮排気となり圧縮された空気が石灰水方向へ導かれる。
又ピストンがＢの方向移動する時はノンリターンバルブ２は閉の状態、及びノンリターンバルブ１は開の状態となりシリンダー内は減圧吸気となる。この運動（図２、図３、図４、図５）を繰り返すことにより小さな風でも誘導管を通して石灰水へ大気を送り込む事が可能うとなる。送り込まれた大気は石灰水の中で気泡となり誘導板に沿って上昇しその過程で二酸化酸素が削減され排出される。【０００７】    この場合の化学反応式は
【化】
0003142028.tif 000003
によって表現することができる。
【図面の簡単な説明】
【０００８】
【図１】  本考案に係る、風の力を利用した二酸化酸素削減装置の断面図である。
【図２】  減圧吸気終了時の歯車２、ピストン、ピストン駆動軸、シリンダー、ノンリターンバルブ１、ノンリターンバルブ２、の拡大断面図
【図３】  圧縮排気時の歯車２、ピストン、ピストン駆動軸、シリンダー、ノンリターンバルブ１、ノンリターンバルブ２、の拡大断面図
【図４】  圧縮排気終了時の歯車２、ピストン、ピストン駆動軸、シリンダー、ノンリターンバルブ１、ノンリターンバルブ２、の拡大断面図
【図５】  減圧吸気時の歯車２、ピストン、ピストン駆動軸、シリンダー、ノンリターンバルブ１、ノンリターンバルブ２、の拡大断面図
【符号の説明】
【０００９】    １    風車
２    風車軸
３    歯車１
４    歯車２
５    ピストン
６    シリンダー
７    ノンリターンバルブ１
８    ノンリターンバルブ２
９    ピストン駆動軸
１０    石灰水
１１    ピストンの動きを表す矢印
１２    誘導管
１３    誘導板
１４    気泡
１５    気泡の動きを表す矢印
１６    排出口
【図１】
0003142028.tif 000004
【図２】
0003142028.tif 000005
【図３】
0003142028.tif 000006
【図４】
0003142028.tif 000007
【図５】
0003142028.tif 000008
【手続補正書】
【提出日】平成20年2月21日(2008.2.21)
【手続補正１】
【補正対象書類名】実用新案登録請求の範囲
【補正対象項目名】全文
【補正方法】変更
【補正の内容】
【実用新案登録請求の範囲】
【請求項１】
風車を利用してピストンを作動し、それによって大気を石灰水に送りこみ、大気中の二酸化炭素を削減する装置
(57)【要約】【課題】自動車の前方から走行状態を確認することができ、事故を未然に回避しやすい自動車用の前方ブレーキランプを提供する。【解決手段】自動車用の前方ブレーキランプ１０は、自動車のフロントガラス２の内側の上部中央に設けられている。自動車用の前方ブレーキランプ１０は、運転手の視界をなるべく遮らないよう、ルームミラー３の背面側に設けられている。自動車用の前方ブレーキランプ１０は、ブレーキを踏むと、車体１の前方に向かって緑色または青色に発光するよう構成されている。これにより、自動車用の前方ブレーキランプ１０は、自動車の車体１の前方からランプを視認可能になっている。【選択図】図１
0003142064.tif 000002
【実用新案登録請求の範囲】
【請求項１】
自動車の車体の、前方からランプを視認可能な位置に取り付けられていることを、特徴とする自動車用の前方ブレーキランプ。
【考案の詳細な説明】
【技術分野】
【０００１】
本考案は、自動車用の前方ブレーキランプに関する。
【背景技術】
【０００２】
従来の自動車用のブレーキランプは、減速時の追突事故を防止するため、減速することを後続車に知らせる目的で、後方からランプを視認可能に車体の後部に取り付けられている（例えば、特許文献１参照）。
【０００３】
【特許文献１】実用新案登録第３００９５１６号公報
【考案の開示】
【考案が解決しようとする課題】
【０００４】
しかしながら、特許文献１に記載のような従来のブレーキランプでは、例えば、（１）自分の自動車が減速または停止したとき、後続車が減速しているかどうかわかりにくい、（２）狭い道の交差点などで、対向車や右側、左側から出てくる車が減速しているかどうかがわかりにくい、（３）道路を横断する歩行者にとって直進や右左折する自動車が減速しているかどうかわかりにくい、という課題があった。このため、横断時の事故や交差点での出合いがしらの事故、追突事故などを回避しにくいという課題があった。
【０００５】
本考案は、このような課題に着目してなされたもので、自動車の前方から走行状態を確認することができ、事故を未然に回避しやすい自動車用の前方ブレーキランプを提供することを目的としている。
【課題を解決するための手段】
【０００６】
上記目的を達成するために、本考案に係る自動車用の前方ブレーキランプは、自動車の車体の、前方からランプを視認可能な位置に取り付けられていることを、特徴とする。
【０００７】
本考案に係る自動車用の前方ブレーキランプは、自動車の車体の前方からランプを視認できる。このため、例えば、（１）自分の自動車が減速または停止したとき、後続車が減速しているかどうか確認することができるので、後続車が減速しないときに自分の自動車を加速するなどして、追突事故を未然に回避することができる。（２）狭い道の交差点などで、対向車や右側、左側から出てくる車が減速したり、停止したりするのかどうか確認することができるので、減速していないときにこちらが停止するなどして、交差点での出合いがしらの事故を未然に回避することができる。（３）道路を横断する歩行者が、直進や右左折する自動車が減速しているのかどうか確認することができるため、自動車が減速していないときに横断を中止するなどして、横断時の事故を未然に回避することができる。このように、自動車の前方から走行状態を確認することができるため、事故を未然に回避することができる。
【０００８】
本考案に係る自動車用の前方ブレーキランプは、自動車の車体の前方からランプを視認可能であれば、例えばフロントバンパーやフロントグリル、フェンダーミラー、ドアミラー、フロントガラスの内側、屋根など、車体のどこに設けられていてもよい。また、発光色は、緑色や青色など、明確に視認可能であればいかなる色であってもよい。
【考案の効果】
【０００９】
本考案によれば、自動車の前方から走行状態を確認することができ、事故を未然に回避しやすい自動車用の前方ブレーキランプを提供することができる。
【考案を実施するための最良の形態】
【００１０】
以下、図面に基づき、本考案の実施の形態について説明する。
図１は、本考案の実施の形態の自動車用の前方ブレーキランプを示している。
【００１１】
図１に示すように、自動車用の前方ブレーキランプ１０は、自動車のフロントガラス２の内側の上部中央に設けられている。自動車用の前方ブレーキランプ１０は、運転手の視界をなるべく遮らないよう、ルームミラー３の背面側に設けられている。自動車用の前方ブレーキランプ１０は、ブレーキを踏むと、車体１の前方に向かって緑色または青色に発光するよう構成されている。これにより、自動車用の前方ブレーキランプ１０は、自動車の車体１の前方からランプを視認可能となっている。
【００１２】
次に、作用について説明する。
自動車用の前方ブレーキランプ１０は、自動車の車体１の前方から視認できる。このため、例えば、（１）自分の自動車が減速または停止したとき、後続車が減速しているかどうか確認することができるので、後続車が減速しないときに自分の自動車を加速するなどして、追突事故を未然に回避することができる。（２）狭い道の交差点などで、対向車や右側、左側から出てくる車が減速したり、停止したりするのかどうか確認することができるので、減速していないときにこちらが停止するなどして、交差点での出合いがしらの事故を未然に回避することができる。（３）道路を横断する歩行者が、直進や右左折する自動車が減速しているのかどうか確認することができるため、自動車が減速していないときに横断を中止するなどして、横断時の事故を未然に回避することができる。このように、自動車の前方から走行状態を確認することができるため、事故を未然に回避することができる。
【図面の簡単な説明】
【００１３】
【図１】本考案の実施の形態の自動車用の前方ブレーキランプの使用状態を示す正面図である。
【符号の説明】
【００１４】
１  車体
２  フロントガラス
３  ルームミラー
１０  自動車用の前方ブレーキランプ
【図１】
0003142064.tif 000003
(57)【要約】      （修正有）【課題】子供が興味を持って遊ぶことができるプラスチック製の子供用記念メダルを提供する。【解決手段】上端にストラップの通し孔２を設けたメダル本体１と、その前面上部に固定した顔面模様板３と、このメダル本体と顔面模様板との間に上端を軸着し、顔面模様板の下側に、左右へ揺動可能に吊設した手足付きの胴部模様板７とよりなり、上記顔面模様板の裏面の左右には、胴部模様板の揺動範囲を規制し、且つ揺動時に衝突音を発生するストッパー１１を設けている。【選択図】図２
0003142068.tif 000002
【実用新案登録請求の範囲】
【請求項１】
上端にストラップの通し孔を設けたメダル本体と、その前面上部に固定した顔面模様板と、このメダル本体と顔面模様板との間に上端を軸着し、顔面模様板の下側に、左右へ揺動可能に吊設した手足付きの胴部模様板とよりなり、上記顔面模様板の裏面の左右には、胴部模様板の揺動範囲を規制し、且つ揺動時に衝突音を発生するストッパーを設けたことを特徴とするプラスチック製の子供用記念メダル。
【考案の詳細な説明】
【技術分野】
【０００１】
本考案は、幼稚園とか小学校の運動会で、子供に贈る子供用記念メダルに関するものである。
【背景技術】
【０００２】
幼稚園や小学校の運動会において、子供達に贈与している記念メダルには、上端にストラップの通し孔を設けたメダル本体の前面に、子供の好むキャラクターの模様を表現したものが一般的であるが、この種のものは、従来からメダル本体の形状を変更したり、キャラクターの模様を変更する程度のものであるから、子供が幼稚園等から頂いたときは喜ぶが、その後この記念メダルで遊ぶというものではなかった。
【考案の開示】
【考案が解決しようとする課題】
【０００３】
本考案は、子供が興味を持って遊ぶことができるプラスチック製の子供用記念メダルを提供しようとするものである。
【課題を解決するための手段】
【０００４】
上記の目的を達成するために、請求項１の考案は、上端にストラップの通し孔を設けたメダル本体と、その前面上部に固定した顔面模様板と、このメダル本体と顔面模様板との間に上端を軸着し、顔面模様板の下側に、左右へ揺動可能に吊設した手足付きの胴部模様板とよりなり、上記顔面模様板の裏面の左右には、胴部模様板の揺動範囲を規制し、且つ揺動時に衝突音を発生するストッパーを設けたことを特徴とするプラスチック製の子供用記念メダルに係るものである。
【０００５】
上記請求項１の子供用記念メダルは、顔面模様板の下端より露出した胴部模様板が、メダル本体が揺れる度に、左右に揺動するため、顔面模様板に表現したキャラクターの人物、或いは動物が走っているかのように見える。また胴部模様板が揺動すると左右のストッパーに衝突して音を発生する。
【考案の効果】
【０００６】
本考案のプラスチック製の子供用記念メダルは、メダル本体の前面に設けた顔面模様板と、その下側において左右に揺動する胴部模様板とにより、キャラクターの人物とか動物を表現したから、子供がメダル本体を揺らすことにより、胴部模様板が左右のストッパーの範囲内で揺動する。そのため人物とか動物が走っているとか、踊っているかのように見えるので、子供達は何時までも興味をもって遊ぶことができる。
【０００７】
また胴部模様板は、左右のストッパーにより揺動を規制され、胴部模様板の側面が確実にストッパーに衝突してカチ、カチ、カチ・・・・と軽快な音を発生するため、単に胸に吊下げる子供用記念メダルと違い、子供達が楽しく遊ぶことができる。
【考案を実施するための最良の形態】
【０００８】
以下、図１乃至図４を参照して、請求項１の考案の実施形態を詳述する。図１はプラスチック製の子供用記念メダルの正面図であり、図２は同上一部切欠き正面図であり、図３は図１におけるＡ−Ａ線の断面図であり、図４は図１において、胴部模様板を離脱した状態の縦断面図である蓋体を開放した状態の縦断面図である。図５は図１における顔面模様板の背面図である。
【０００９】
図中の符号１はプラスチック製のメダル本体であり、上端にストラップの通し孔２を形成している。符号３はたプラスチック製の顔面模様板であり、表面に動物の顔を立体的に表現し、裏面外側には、上部から左右両側部に亘って縁部４を突設している。上記メダル本体１の表面に間隔を保って突設した複数の軸受け５に、顔面模様板３の内壁面に間隔を保って突設した複数の突軸６を嵌着して、メダル本体１に顔面模様板３を固定し、メダル本体１の表面に上記縁部４を密接させている。
【００１０】
符号７はプラスチック製の手足付き胴部模様板であり、上部をメダル本体１と顔面模様板３との間に形成された空隙部８内において支軸９を用いて軸着し、縁部４の開放部１０より顔面模様板３の下側に揺動自在に露出している。尚、符号１１は胴部模様板７の揺動範囲を規制するためのストッパーであり、縁部４の左右両端により形成している。
【００１１】
上記の実施形態にあっては、顔面模様板３に対し、手足を設けた胴部模様版７が揺動するものであり、また胴部模様版７が揺動した場合、胴部模様板の側面が左右のストッパーに衝突してカチ、カチ、カチ・・・・と軽快な音を発生するため、単に胸に吊下げる子供用記念メダルと違い、子供達が何時までも楽しく遊ぶことができる。
【００１２】
上記の実施形態における顔面模様板３の縁部を省略するときは、メダル本体１と顔面模様板３との間に形成された空隙部８内の左右に、突起によるストッパー１１を設ければよい。
【図面の簡単な説明】
【００１３】
【図１】本考案の実施形態を示す子供用記念メダルの正面図である。
【図２】同上子供用記念メダルの一部切欠き正面図である。
【図３】図１に示すＡ−Ａ線の断面図である。
【図４】図１において、胴部模様板を離脱した状態の縦断面図である。
【図５】図１における顔面模様板の背面図である。
【符号の説明】
【００１４】
１      メダル本体
２      ストラップの通し孔
３      顔面模様板
４      縁  部
５      軸受け
６      突  軸
７      胴部模様板
８      空隙部
９      支  軸
１０    開放部
１１    ストッパー
【図１】
0003142068.tif 000003
【図２】
0003142068.tif 000004
【図３】
0003142068.tif 000005
【図４】
0003142068.tif 000006
【図５】
0003142068.tif 000007
(57)【要約】      （修正有）【課題】おたま立てと味見皿の機能を併せ持つことによって使用中や収納時の省スペースと容易な洗浄の出来るおたま立てを提供する。【解決手段】味見皿として使いやすい小皿状のもの２をおたまの受け台とし、その一部に支柱３を形成し、その上端に板状のもの１を接合して庇４のように受け台に突きだし、おたまの碗の部分を押さえる機能を持たせた。板状の部分１に指をかければ、持ち上げやすく、かつ容易に保持出来るため、味見皿としても使用可能である。味見皿兼用のおたま立てとして、シンプルな構造であるため洗浄は容易で、調理場での省スペース、洗浄量の減少にも貢献できる。【選択図】図１
0003142062.tif 000002
【実用新案登録請求の範囲】
【請求項１】
小皿状の器２の一部に支柱３を設け、その上端に板状のもの１を接合したおたま立て。
【請求項２】
請求項１において、板状の部分１が取っ手としての機能を有し、その部分を利用して持ち上げることによって小皿状の器にもかかわらず持ちやすく、味見皿としての用途を果たせるおたま立て。
【考案の詳細な説明】
【技術分野】
【０００１】
本考案は、味見皿としても利用できる、省スペースで洗浄の容易なおたま立てに関するものであり、また味見皿とおたま立てとの兼用であるため、味見皿とおたま立てをそれぞれ用意する場合に比べ、洗い物を減少させることとなり、水や洗剤の使用量減少に繋がる環境に優しい道具として提供することを課題とするものである。
【背景技術】
【０００２】
おたまは汁物をすくう道具であり、また同時に台所用調理器具としては調理中の料理の味加減を確認・調整するために用いられるもので、調理中に用いる場合の置き場所は、たとえば鍋蓋の上に仮に置くか、或いは味見用として小皿や小鉢を用いる時には、その小皿・小鉢に置くことが多くおこなわれている。
【０００３】
おたまの一般的構造は、汁や具等の食材をすくうための碗部分に柄が付けられ、柄の他の一端には持ち手が設けられているが、壁面に架ける場合は別として、食卓上や調理台など平面に置く場合には不安定な形状であり、かつ長い柄が場所を取ることとなる。
【０００４】
現在販売されているおたま立ては大きく二種類に分けられ、一つは小鉢状の器の縁の３分の１ほどに庇や梁を渡した構造となっており、この様な形状のものにおいては、一部が庇のように覆われた部分があるため、その庇に覆われた部分の内側（下側）は洗浄しづらく、注意深い洗浄を行う必要がある。
【０００５】
もう一つのおたま立ての構造は、おたまの柄の部分をもたれさせる支柱を設けた構造となっていて、調理中の忙しい時には、設けられた支柱が調理台や食卓上での障害物となることがある。
【０００６】
現在販売されているおたま立てにおいては、味見皿に兼用使用されることはほとんどなく、味見を行う際には、味見皿として別に用意した小皿を用いることが多く行われている。
【考案の開示】
【考案が解決しようとする課題】
【０００７】
環境汚染が生活上の大きな問題となっている現代にあっては、使用する洗剤や水の使用量を少なくできる、洗浄しやすい器具が求められるところである。また、スペースの限られた台所では省スペースに繋がるような器具が望ましい。
【０００８】
そこで本考案は、場所を取らないコンパクトな形状のおたま立てであり、かつ味見皿としても兼用できる構造とし、おたま立てと味見皿を別々に用意することが不要となるため調理場や食卓上における省スペースに繋がり、一器多用であるため洗浄個数の減少にも繋がり、さらに洗浄のしやすい形状として提供することを課題とする考案である。
【課題を解決するための手段】
【０００９】
味見皿としては比較的浅めの小皿が適することから、浅めの小皿状のものをおたまの受け部分２として採用した。
【００１０】
おたまの半球状の碗部上端の一端を押さえて、おたまが倒れることなく安定させるには、小鉢のような深みが得られることが必要であり、そのために受け部の小皿状のもの２の一端から支柱３を設け、その支柱の上端に水平に板状のもの１を接合して庇４のように一部を張り出し、そこがおたまの碗部の押さえとなって、おたまを立てることが可能な構造とした。
【実施例】
【００１１】
本考案によれば、小皿状の受け部２の一部に設けた支柱３の上端に接合された板状のもの１において、小皿状の受け部２に張り出した庇４におたまの碗部の一部を差し込むと、おたまは柄の重みによって反り返ろうとするが、庇４に押さえられて、図４の実施例１のようにおたまは安定して立っている。
【００１２】
支柱３上端に接合された板状の部分１は、本考案になる味見皿兼用おたま立てを持ち上げる時には、板状の部分を指で軽く持ち上げ、やや持ち上がったおたま立ての下側に他の指を差し入れることで、調理で濡れたままの手であっても滑ることなく、図５の実施例２のように安定して持ち上げることが出来、味見皿としても使いやすいことが認められる。
【００１３】
小皿状受け部２、受け部の一部に設けた支柱部３、支柱部上端に接合された板状の部分１、これらはすべて覆われる部分が無く、洗浄しやすく清潔に保つことの出来る構造となっている。また洗剤も流し易く、自動食器洗い機にも対応できる。
【００１４】
本考案はおたま立てと味見皿の両機能を備えているので、調理スペース及び収納場所における省スペースにつながる。
【図面の簡単な説明】
【００１５】
【図１】味見皿兼用おたま立ての斜視図である。
【図２】味見皿兼用おたま立ての平面図である。
【図３】図２におけるＡ―Ｂ線切断断面図である。
【図４】味見皿兼用おたま立ての実施方法を示した説明図である。（実施例１）
【図５】味見皿兼用おたま立ての実施方法を示した説明図である。（実施例２）
【符号の説明】
【００１６】
１支柱上部に接合した板状の部分
２おたまの碗部を受ける小皿状の部分
３受け部の一部に設けた支柱
４板状１の受け部に張り出した庇部分
【図１】
0003142062.tif 000003
【図２】
0003142062.tif 000004
【図３】
0003142062.tif 000005
【図４】
0003142062.tif 000006
【図５】
0003142062.tif 000007
(57)【要約】      （修正有）【課題】雨又は雪の際に帽子及び首筋が濡れるのを防ぐとともに保温効果もあり使い捨てレインキャップとして提供するものである。【解決手段】カバー本体と収縮性を有す紐状体２とで構成され、前記紐状体２は、前記カバー本体の外周開口部に取り付けられるもので、カバー本体の外周開口部の長さより短い合成ゴム１を使用している。そして、合成ゴム１をカバー本体の外周開口部に取り付けるときは、合成ゴム１を伸長させた状態でカバー本体の外周開口部に配置し、カバー本体の外周開口部を内側に折曲げて合成ゴム１を包み込んだのち重ね合わせ部を熱シール処理を行なう。合成ゴム１を取り付けたら、その弾性により収縮して開口部が形成される。【選択図】図４
0003142043.tif 000002
【実用新案登録請求の範囲】
【請求項１】
カバー本体の外周部に伸縮性を有する紐状体を取り付けて開口部を収縮させたレインキャップであって、前記カバー本体を塩化ビニール樹脂フィルム又はポリエチレンフィルムで形成した簡単軽量手の中サイズの使い捨てレインキャップ。
【考案の詳細な説明】
【技術分野】
【０００１】本考案は、主として雨が降る際、帽子や首筋が濡れること防止するため帽子に被せる使い捨て用レインキャップに関する。
【背景技術】
【０００２】従来のこの種のキャップとしては、実願平４−５９５０１としたものがしられている。
【考案の開示】
【考案が解決しようとする課題】
【０００３】しかしながら、従来のキャップはいずれも入浴時やシャワー用だけである。
【課題を解決するための手段】
【０００４】本考案は、従来の上述のような目的ではなく雨による帽子や首筋の濡れ防止と保温効果をようするレインキャップを提供することにある。この目的達成のために本考案の使い捨て用レインキャップではカバー本体の外周部に伸縮性を有する紐状体を取り付けて開口部を収縮させたレインキャップであって、前記カバーの後部を伸ばし雨が首筋に入らないように形成した。
【考案の効果】
【０００５】本考案の使い捨てレインキャップでは、上述のようにカバー本体の外周部に伸縮性を有する紐状体を取り付けて開口部を収縮させて帽子に被せることで雨又は雪にも濡れず保温効果もある。また、本体後部を伸ばすことで首筋も濡れず、しかも、首筋にも保温効果をもたらせる軽量手の中サイズの簡単雨具である。
【実施例】
【０００６】本考案の使い捨てレインキャップＡは、カバー本体図３と伸縮性を有す紐状体２とで構成されている。【０００７】前記カバー本体図３は、塩化ビニール樹脂フィルムかポリエチレンフィルムを図３のように長円形に切り抜いて形成されている。【０００８】前記紐状体２は、前記カバー図３の外周開口部５に取り付けられるもので、本実施例ではカバー本体図３の外周開口部５の長さより短い合成ゴム１を使用している。そして、合成ゴム１をカバー本体図３の外周開口部５に取り付けるときは、合成ゴム１を伸長させた状態でカバー本体図３の外周開口部５に配置し、カバー本体図３の外周開口部５を内側に折曲げて合成ゴム１を包み込んだのち重ね合わせ部を熱シール処理を行なう。合成ゴム１を取り付けたら、その弾性により収縮して開口部５が形成される。【０００９】以上説明してきたように本考案の使い捨てレインキャップにあっては、塩化ビニール樹脂フィルムかポリエチレンフィルムを使用するので、コスト的に使い捨てが十分に可能なレインキャップが得られるようになる。また、帽子に付けることにより雨又は雪にも濡れることもなく、寒い時には保温効果もありとても簡単便利な雨具である。
【図面の簡単な説明】
【００１０】
【図１】本考案実施例のレインキャップを示した側面図である。
【図２】本考案実施例のレインキャップを示した正面図である。
【図３】本考案実施例のカバー本体の切り抜き長円形である。
【図４】本考案実施例のレインキャップを帽子に被せた側面図である。
【図５】本考案実施例のレインキャップを帽子に被せた正面ずである。
【図６】本考案実施例のレインキャップの断面図である。
【符号の説明】
【００１１】Ａ    レインキャップ
１    合成ゴム
２    紐状体
３    首隠し
４    帽子
５    開口部
【図１】
0003142043.tif 000003
【図２】
0003142043.tif 000004
【図３】
0003142043.tif 000005
【図４】
0003142043.tif 000006
【図５】
0003142043.tif 000007
【図６】
0003142043.tif 000008
(57)【要約】      （修正有）【課題】天然ゴム素材の利点によりワイパー効果を得ることにより、清掃器具を通過させる回数が減少し下水道工事管内清掃作業時間の短縮が得られる管内清掃器具を提供する。【解決の手段】厚さ３ｍｍの管内径より５ｍｍ大きくした円形の天然素材のゴム板を円形のアルミ板で挟みなべ小ネジで固定し、清掃版の組立を行い管内清掃器具に組立て使用する事により器具の水洗い・脱水燥作業が拭き取るだけで済む。【選択図】図１
0003142048.tif 000002
【実用新案登録請求の範囲】
【請求項１】
塩化ビニール管φ２００の内部を清掃する為の円形の天然ゴム板を両側から円形のアルミ板で挟み固定した清掃版を４枚備えた管内清掃器具。
【考案の詳細な説明】
【技術分野】
【０００１】  本考案は、塩化ビニール管φ２００の内部を清掃する管内部清掃器具に関する。
【背景技術】
【０００２】  従来の清掃方法は、布雑巾かスポンジを使用して清掃していた。（図３・４）
【考案の開示】
【考案が解決しようとする課題】
【０００３】  しかし、従来の方法では、水滴やゴミ等が残留し、一回ごとに布雑巾やスポンジを水洗い・脱水を繰替えしながら数多く管内部を通過させなければならないため、施工時間が掛かり布雑巾やスポンの水洗い・脱水作業洗浄水の供給が不便である。
【課題を解決するための手段】
【０００４】  そこで、器具の水洗い・脱水作業を軽減するために、厚さ３ｍｍを管内径より５ｍｍ大きくした天然素材のゴム板（図５）をアルミ板（図６）で挟みなべ小ネジ（図１３・１４・１５）で固定し、清掃版を組立（図５・６）全ネジＭ１０（図１０）にマルワッシャ（図１１）ナットＭ１０（図１２）マルカン付Ｍ１０ナット（図９）を使用し図１の様に組立て使用する事により器具の水洗い・脱水燥作業が拭き取るだけで済み著しく短縮されるのである。
【考案の効果】
【０００５】  よって、本考案の管内清掃器具により、洗浄・乾燥作業の削減ならびにゴム素材の利点によりワイパー効果を得４枚連結したことにより清掃器具の通過回数が減少し下水道工事管内清掃作業時間の短縮が得られる。
【考案を実施するための最良の形態】
【０００６】  本考案による清掃版（図５・６）を４枚連結（外々１２０ｍｍ程度）させ管内部清掃器具（図１）を構成ることにより、管内部での安定を得、マルカン（図９）にフック付ロープを使用することによりけん引ロープの脱着が簡単に出来る。
【図面の簡単な説明】
【０００７】
【図１】  本考案に係る管内清掃器具を組立完了した状態の立面図である。
【図２】  本考案に係る管内清掃器具を塩化ビニール管（φ２００）内に挿入した断面図である。
【図３】  従来の清掃方法で塩化ビニール管（φ２００）内を布雑巾による断面図である。
【図４】  従来の清掃方法で塩化ビニール管（φ２００）内をスポンジによる断面図である。
【図５】  清掃版組立完了の立面図である。
【図６】  清掃版組立完了の平面図である。
【図７】  部品の使用材料（天然ゴム）の形状、寸法を示した平面図である
【図８】  部品の使用材料（アルミ板）の形状、寸法を示した平面図である。
【図９】  使用部品（マルカン付ナット）の形状、寸法を示し平面図である。
【図１０】  使用部品（全ネジボルト）の寸法を示し平面図である。
【図１１】  使用部品（マルワッシャ）形状、寸法を示し平面図である。
【図１２】  使用部品（ナットＭ１０）の形状を示し平面図である。
【図１３】  使用部品（なべ小ネジＭ６）の形状、寸法を示し平面図である。
【図１４】  使用部品（ナットＭ６）の形状を示し平面図である。
【図１５】  使用部品（Ｍ６用ワッシャ）の形状を示し平面図である。
【符号の説明】
【０００８】  ７    天然ゴム板（直径φ２０５ｍｍ×厚さｔ３ｍｍ）
８    アルミ板（直径φ１７５ｍｍ×厚さｔ１．５ｍｍ）
９    マルカン付ナット（Ｍ１０）
１０    全ネジボルト（Ｍ１０×１８０ｍｍ）
１１    丸ワッシャ（直径φ５０ｍｍ×厚さｔ２ｍｍ）
１２    ナット（Ｍ１０）
１３    なべ小ネジ（Ｍ６×１５ｍｍ）
１４    ナット（Ｍ６）
１５    ワッシャ（Ｍ６用）
１６    フック付ロープ
２０    清掃版（清掃版組立完了）
３０    管内清掃器具（組立完了）
Ｎ      布雑巾清掃器具
Ｓ      スポンジ清掃器具
Ｐ      塩化ビニールパイプ（φ２００）
←      けん引方向
【図１】
0003142048.tif 000003
【図２】
0003142048.tif 000004
【図３】
0003142048.tif 000005
【図４】
0003142048.tif 000006
【図５】
0003142048.tif 000007
【図６】
0003142048.tif 000008
【図７】
0003142048.tif 000009
【図８】
0003142048.tif 000010
【図９】
0003142048.tif 000011
【図１０】
0003142048.tif 000012
【図１１】
0003142048.tif 000013
【図１２】
0003142048.tif 000014
【図１３】
0003142048.tif 000015
【図１４】
0003142048.tif 000016
【図１５】
0003142048.tif 000017
(57)【要約】      （修正有）【課題】糸等よりなる細線に付いた歯間ゴミが見えやすく、ゴミの除去効果の確認が容易に行える歯間ブラシを提供する。【解決手段】把持部２と歯間ゴミＧを除去する細線７が設けられている機能部３とからなり、細線７が黒色であることを特徴とする歯間ブラシ。【選択図】図２
0003142041.tif 000002
【実用新案登録請求の範囲】
【請求項１】
把持部と歯間ゴミを除去する細線が設けられている機能部とからなり、前記細線が黒色であることを特徴とする歯間ブラシ。
【考案の詳細な説明】
【技術分野】
【０００１】  この考案は、歯間ブラシの改良に関する。
【背景技術】
【０００２】  最近においては、糸等の細線により歯間ゴミを除去する歯間ブラシが広く使用されている。
【考案の開示】
【考案が解決しようとする課題】
【０００３】  この種従来品は細線として白糸を用いているので、使用した際白糸に付着した歯間ゴミが見えにくく、ゴミの除去効果の確認が行いにくいという問題点があった。【０００４】  この考案では、糸等の細線に付く歯間ゴミが見えやすく、ゴミの除去効果の確認が容易に行える歯間ブラシを提供することを目的とする。
【課題を解決するための手段】
【０００５】  この考案では、把持部と歯間ゴミを除去する細線が設けられている機能部とからなり、前記細線が黒色であることを特徴とする歯間ブラシを提供する。【０００６】  この考案の構成の歯間ブラシは、使用に際し黒色である細線に歯間ゴミが付着した際、歯間ゴミは白色に近く黒色である細線とその明度の差が大きいので見えやすい。【０００７】  細線の材質等は適宜であってよいが、使用時に唾液に触れた際に黒色の脱色がなく、また、葉や歯茎を傷めない糸状の柔らかいものが好ましく、例えば、黒色のポリスチレン繊維の撚糸等が好適に用いられる。また、歯間ブラシは尖った形状のようじ端部を一体に備えるものとされることで歯間ゴミの除去機能が高められ、その際にはそのようじ端部も黒色とされることでゴミの除去効果が確認できるものとなる。
【考案の効果】
【０００８】  この考案によれば、細線に付く歯間ゴミが見えやすく、ゴミの除去効果の確認が容易に行える歯間ブラシが得られる。
【考案を実施するための最良の形態】
【０００９】  図１はこの考案の歯間ブラシの外観斜視図である。【００１０】  歯間ブラシ１は把持部２と機能部３とからなり、機能部３の一対のフレーム５、５間に歯間ゴミＧを除去する細線としての糸７が架け渡されて設けられている。把持部２と機能部３の糸７を除く部分は黒色のプラスチックスにより連続一体形成されている。把持部２の先端は尖って形成されることでようじ端部９とされている。【００１１】  上記糸７は黒色のポリスチレン繊維が撚られて構成された黒色糸よりなる。糸７は把持部２と機能部３の糸７を除く部分とが一体に成形される際に、インサートされることで装着されている。【００１２】  上記歯間ブラシ１は、糸７及びようじ端部９により歯間のゴミの除去が行える。図２は糸７及びようじ端部９に歯間ゴミＧが付着した状態を示し、糸７及びようじ端部９はともに黒色であり、歯間ゴミＧは白色に近くそれらと明度の差が大きいので非常に見えやすく、これによりその除去効果が容易に確認できる。【００１３】  糸７は黒色のポリスチレン繊維の撚糸よりなり黒色が染色により付されたものでないので、使用に際して唾液に触れても脱色の恐れがなく、衛生上の問題もない。また、糸７はプラスチック製でありながら単一線構造でなくて柔らかいので、使用時に歯や歯茎を傷めることがない。
【図面の簡単な説明】
【００１４】
【図１】  この考案の歯間ブラシの実施形態の外観斜視図
【図２】  この考案の歯間ブラシの実施形態の使用説明のための外観斜視図
【符号の説明】
【００１５】１    歯間ブラシ
２    把持部
３    機能部
７    糸（細線）
Ｇ    歯間ゴミ
【図１】
0003142041.tif 000003
【図２】
0003142041.tif 000004